(57)【要約】【課題】ハーネス部分よりも首輪の部分に犬の引っ張り力がかかるようにして犬のコントロールがしやすく、しかも首輪のベルト部分と牽引ベルトの連結部分を改善して、首輪のベルト部分と牽引ベルトとの間に不自然な負荷がかかることのない首輪付きハーネスを提供しようとするものである。【解決手段】首輪のベルト部分の両端を開放し、かつ該両端にほぼ直交するように胴輪となるハーネスを一体的に連結するとともに、該ハーネスの上部は前記ベルト部分の上部にアーチ状をなすよう一連に形成され、ハーネスの下部両端部分は連結部材を取り付けて着脱自在となっており、前記ベルト部分の端部近傍には後方に向かって斜め上方に牽引ベルトを取り付けるとともに、その後端にはチェーンをはめ込む連結具を取付け、なおかつ前記ベルト部分には反発力を備えたスプリング材を内装して、犬の首に過度の締め付け力がかからないようにしたことを特徴とする首輪付きハーネス。【選択図】図１
2010279312.tif 000002
【特許請求の範囲】
【請求項１】
首輪のベルト部分の両端を開放し、かつ該両端にほぼ直交するように胴輪となるハーネスを一体的に連結するとともに、該ハーネスの上部は前記ベルト部分の上部にアーチ状をなすよう一連に形成され、ハーネスの下部両端部分は連結部材を取り付けて着脱自在となっており、前記ベルト部分の端部近傍には後方に向かって斜め上方に牽引ベルトを取り付けるとともに、その後端にはチェーンをはめ込む連結具を取付け、なおかつ前記ベルト部分には反発力を備えたスプリング材を内装して、犬の首から前足の付け根にかけての胸の部分に過度の締め付け力がかからないようにしたことを特徴とする首輪付きハーネス。
【請求項２】
前記牽引ベルトが、胴輪となるハーネスに交錯する位置においてハーネスに設けたガイド部にスライド可能に挿通されていることを特徴とする請求項１に記載の首輪付きハーネス。
【請求項３】
前記ハーネスの下部端部が、その長さを調節自在とされていることを特徴とする請求項１または２に記載の首輪付きハーネス。
【発明の詳細な説明】
【技術分野】
【０００１】
本発明は、犬を散歩させる際に用いる首輪付きハーネスに関するものである。
【背景技術】
【０００２】
従来、犬の胴体に取り付けるハーネスを首輪と一体的に形成したものとしては、米国特許第６１６１５０５号明細書（特許文献１参照）、米国特許第６３４０００１号明細書（特許文献２参照）、特開２００５−２０４６２２号公報（特許文献３参照）等がある。
【０００３】
１）米国特許第６１６１５０５号明細書（特許文献１参照）には、犬や猫等の動物に取り付けて動物の動きを制御するための拘束装置であって、動物の首に装着された首輪と身体に装着されたハーネスに着脱自在に簡便に取り付けられ、可撓性の繋ぎ帯片および繋ぎ帯片の両端にそれぞれ取り付けられた１〜３の係留具か２）米国特許第６３４０００１号明細書（特許文献２参照）には、警察犬や軍用犬などの大の訓練に使用するリーシュの構造に関し、犬の体に取り付ける抑制具(ハーネス)およびリーシュとして使用し、犬の大きさに応じてサイズの調節が可能で、大の体に苦痛を与えず抑制することが可能な道具を提供するものである。
３）特開２００５−２０４６２２号公報（特許文献３参照）には、両端を尾錠で連結分離可能とされると共に途中に長さ調節部を有し、さらに８の字状として首輪部及び胴輪部を形成するための紐体と、８の字状とされた紐体のクロス部分を覆う支持プレートと、該支持プレートに回転自在に設けられた引き紐接続用の連結環とからなり、支持プレートには、紐体の一方の端部連結部と尾錠取付部が左右方向に対向して形成されており、これら両部の対向方向にクロスするように一対の紐体挿通孔を左右方向に対向して形成したペット用胴輪が示されている。
【先行技術文献】
【特許文献】
【０００４】
【特許文献１】米国特許第６１６１５０５号明細書
【特許文献２】米国特許第６３４０００１号明細書
【特許文献３】特開２００５−２０４６２２号公報
【発明の概要】
【発明が解決しようとする課題】
【０００５】
しかしながら前記各先行技術では、主にハーネス部分に犬の引っ張り力がかかって犬のコントロールが利きにくく、これを改善しようとして首輪のベルト部分と牽引ベルトを直接連結した場合には、首輪のベルト部分と牽引ベルトとの間に不自然な負荷がかかって連結部分の耐久性が低下しやすいという問題があった。
そこでこの発明の首輪付きハーネスは、ハーネス部分よりも首輪の部分に犬の引っ張り力がかかるようにして犬のコントロールがしやすく、しかも首輪のベルト部分と牽引ベルトの連結部分を改善して、首輪のベルト部分と牽引ベルトとの間に不自然な負荷がかかることがなく、連結部分の耐久性が低下することのない首輪付きハーネスを提供しようとするものである。
【課題を解決するための手段】
【０００６】
すなわちこの発明の首輪付きハーネスは、首輪のベルト部分の両端を開放し、かつ該両端にほぼ直交するように胴輪となるハーネスを一体的に連結するとともに、該ハーネスの上部は前記ベルト部分の上部にアーチ状をなすよう一連に形成され、ハーネスの下部両端部分は連結部材を取り付けて着脱自在となっており、前記ベルト部分の端部近傍には後方に向かって斜め上方に牽引ベルトを取り付けるとともに、その後端にはチェーンをはめ込む連結具を取付け、なおかつ前記ベルト部分には反発力を備えたスプリング材を内装して、犬の首から前足の付け根にかけての胸の部分に過度の締め付け力がかからないようにしたことを特徴とするものである。
この発明の首輪付きハーネスにおいて首輪とは、上述のように前記ベルト部分がいわゆる首の部分のみならず、犬の首から前足の付け根にかけての胸の部分に当接するものを含むものである。
前記反発力を備えたスプリング材としては、金属素材や合成樹脂素材、ＦＲＰ等が好適に使用できる。
【０００７】
またこの発明の首輪付きハーネスは、前記牽引ベルトが、胴輪となるハーネスに交錯する位置においてハーネスに設けたガイド部にスライド可能に挿通されていることをも特徴とするものである。
【０００８】
さらにこの発明の首輪付きハーネスは、前記ハーネスの下部端部が、その長さを調節自在とされていることをも特徴とするものである。
【発明の効果】
【０００９】
上述のように、請求項１の首輪付きハーネスは、従来の胴輪となるハーネスとしての機能を持つことはもちろんのこと、チェーン類から牽引ベルトを介して首輪のベルト部分に無理のない状態で牽引力が作用するので、ベルト部分と牽引ベルトの連結部分の耐久性が飛躍的に向上する。
また、犬の引張り力が作用した状態であっても、反発力を備えたスプリング材によって前記首輪のベルト部分の両端の間隔が必要以上に狭まらないので、犬の首から前足の付け根にかけての胸の部分に過度の締め付け力がかかることがなく、ほとんど犬に苦痛を与えることがなくなった。
【００１０】
また請求項２の首輪付きハーネスによれば、前記牽引ベルトが胴輪となるハーネスに交錯する位置において、ハーネスに設けたガイド部にスライド可能に挿通されているので、チェーン類から牽引ベルトにかかる負荷がハーネスに影響することがなく、ハーネスに負荷がかかって犬の胴を過度に締め付けたり、ハーネスが緩んだりすることことがない。
【００１１】
請求項３の首輪付きハーネスによれば、前記ハーネスの下部端部が、その長さを調節自在とされており、したがって犬のサイズに容易に適合させることができる首輪を提供することが可能である。
【図面の簡単な説明】
【００１２】
【図１】この発明の首輪付きハーネスの側面図である。
【図２】この発明の首輪付きハーネスの使用状態を示す側面図である。
【図３】この発明の首輪付きハーネスの要部を示す平面図である。
【発明を実施するための形態】
【００１３】
以下添付図面にしたがってこの発明の首輪付きハーネスの実施の形態を説明する。
図１ないし図３に示す実施例おいて、１１は首輪付きハーネスで、該首輪付きハーネス１１のベルト部分１２はその両端が開放されている。
このベルト部分１２は、図３に示すように内側に反発力を備えたスプリング材１３を内装され、スプリング材１３は柔軟性のあるスポンジ状被膜１４で被覆されている。前記反発力を備えたスプリング材１３としては、金属素材や合成樹脂素材、ＦＲＰ等が好適に使用できる。
したがって、前記首輪付きハーネス１１のベルト部分１２に犬の引張り力が作用した状態であっても、ベルト部分１２は所定のサイズを保とうとしているので、犬の首から前足の付け根にかけての胸の部分に不必要な締め付け力が作用しないようになっている。
【００１４】
犬の散歩や訓練などに際し、犬は常に引張ろうとする習性があるため、犬の首輪には強い引張り力が作用する。しかしながらベルト部分１２には、内側に反発力を備えたスプリング材１３を内装されている。したがって、前記首輪付きハーネス１１のベルト部分１２に犬の引張り力が作用しても、ベルト部分１２は所定のリングサイズを保とうとするので、犬の首から前足の付け根にかけての胸の部分に不必要な締め付け力が作用しない
【００１５】
前記ベルト部分１２の両端は開放され、かつ該両端にほぼ直交するように胴輪となるハーネス２１が一体的に連結されている。そして、前記ハーネス２１の上部は前記ベルト部分１２の上部にアーチ状をなすよう一連に形成され、ハーネス２１の下部両端部分は連結部材２２−１，２２−２を取り付けて着脱自在となっている。もちろん、ハーネス２１の上部アーチ状部分側に連結部材２２−１，２２−２を取り付けることもできる。これは着脱のしやすさや犬の腹部に突き当たって犬が不快に感じるかどうか等を勘案して適宜決定することができる。
また、前記ベルト部分１２の端部近傍には後方に向かって斜め上方、約４５°に牽引ベルト２３を取り付けるとともに、その後端にはチェーン類２５をはめ込むＤ環等の連結具２４を取付けたものである。
【００１６】
このように、この発明の首輪付きハーネス１１は、従来の胴輪となるハーネスとしての機能を持つことはもちろんのこと、チェーン類２５から牽引ベルト２３を介してベルト部分１２に無理のない状態で牽引力が作用するので、ベルト部分１２と牽引ベルト２３の連結部分の耐久性が飛躍的に向上する。
また、犬の引張り力が作用した状態であっても、反発力を備えたスプリング材１３によって前記首輪のベルト部分１２の両端の間隔が必要以上に狭まらないので、犬の首から前足の付け根にかけての胸の部分に過度の締め付け力がかかることがなく、ほとんど犬に苦痛を与えることがなくなった。
【００１７】
前記牽引ベルト２３は、胴輪となるハーネス２１に交錯する位置において、ハーネス２１の織物製ベルト等の素材を２重にして設けたガイド部２６にスライド可能に挿通されている。したがって、チェーン類２５から牽引ベルト２３にかかる負荷がハーネス２１に影響することがなく、ハーネス２１に負荷がかかって犬の胴を過度に締め付けたり、過度の負荷がかかってハーネス２１が緩んだりすることことがない。
【００１８】
この発明の首輪付きハーネス１１においては、前記ハーネス２１の下部端部が、その長さを折返し金具２７頭を用いて調節自在とされている。したがって犬のサイズに容易に適合させることができる首輪を提供することが可能である。
【００１９】
この発明の首輪付きハーネス１１は以上のように構成したので、犬の散歩や訓練に際して飼い主等がチェーン類２５を握り締めている際に犬が引張って引張り力が作用し、前記ベルト部分１２の両端の間隔が自然に狭まるようになっても、前記ベルト部分１２に内装した反発力を備えたスプリング材１３がもとの形状に戻ろうとする力）が作用するので、犬の首から前足の付け根にかけての胸の部分への締付け力は大幅に軽減される。
【００２０】
したがって、この発明の首輪付きハーネス１１は以上のように構成したことにより、犬がむやみに引張っても犬の首から前足の付け根にかけての胸の部分には犬に苦痛を与えるような締付力が働かないようになるのである。
【産業上の利用可能性】
【００２１】
上記においては、この発明の首輪付きハーネスを犬の首輪として使用することを主眼として説明してきたが、その他のペットや動物等の散歩や訓練が不可欠な用途にも適用できることはいうまでもない。
【符号の説明】
【００２２】
１１  首輪付きハーネス
１２  ベルト部分
１３  スプリング材
１４  スポンジ状被膜
２１  ハーネス
２２−１，２２−２  連結部材
２３  牽引ベルト
２４  連結具
２５  チェーン類
２６  ガイド部
２７  折返し金具
【図１】
2010279312.tif 000003
【図２】
2010279312.tif 000004
【図３】
2010279312.tif 000005